(57)【要約】【課題】点火時期の遅角若しくは燃料供給量の低減により車両の駆動力を低減するに際し、駆動輪の回転振動状態が悪化する虞れを判定することにより、駆動輪の回転振動状態の悪化を防止しつつ車両の駆動力を効果的に低減する。【解決手段】車両の駆動力が過剰であるときには目標駆動力Ｆxtが演算され、駆動力の低減の必要度合を示す指標値ＳＡaが第一の基準値ＳＡa1以上であるときには（３１５）、目標駆動力Ｆxtの低下変化よりも穏やかに車両の駆動力が低下するようスロットル開度が低減され（３２５、３３５）、指標値ＳＡaが第一の基準値ＳＡa1よりも大きい第二の基準値ＳＡa2以上であり（３４５）且つ点火時期の遅角によって駆動輪の回転振動状態が悪化される虞れがないときには（３７０、３７５）、スロットル開度の低減のみの場合よりも速やかに車両の駆動力が低下するようスロットル開度の低減に加えて点火時期が遅角される。【選択図】図３
2008031946.tif 000002
【特許請求の範囲】
【請求項１】
少なくとも運転者の駆動操作量に基づいてエンジンのスロットル開度の制御を行うスロットル開度制御手段と、前記エンジンの点火時期の遅角若しくは前記エンジンへの燃料供給量の低減により前記エンジンの出力を低減するエンジン出力低減手段と、車両の走行状態に基づいて車両の駆動力の低減の必要度合を判定し、前記必要度合が高いときには少なくとも前記スロットル開度制御手段を制御することにより前記エンジンの出力を低下させる駆動力低減制御手段とを有し、前記駆動力低減制御手段は前記必要度合が第一の基準値以上であるときには前記スロットル開度制御手段により制御されるスロットル開度を低減し、前記必要度合が前記第一の基準値よりも大きい第二の基準値以上であるときには前記スロットル開度制御手段により制御されるスロットル開度の低減に加えて前記エンジン出力低減手段により前記エンジンの出力を低減するよう構成された車両の駆動力制御装置であって、前記駆動力低減制御手段は前記エンジン出力低減手段による前記エンジンの出力の低減によって駆動輪の回転振動状態を悪化させる虞れを判定する回転振動状態判定手段と、前記必要度合が前記第二の基準値以上であっても前記回転振動状態判定手段により前記駆動輪の回転振動状態を悪化させる虞れがあると判定されているときには前記エンジン出力低減手段による前記エンジンの出力の低減を禁止する禁止手段とを有することを特徴とする車両の駆動力制御装置。
【請求項２】
前記回転振動状態判定手段は前記駆動輪の回転振動を検出する手段を含み、前記駆動輪の回転振動の度合が回転振動判定の基準値以上であるときに前記駆動輪の回転振動状態を悪化させる虞れがあると判定することを特徴とする請求項１に記載の車両の駆動力制御装置。
【請求項３】
前記回転振動状態判定手段は左右の駆動輪に対応する路面の摩擦係数を検出する手段を含み、前記左右の駆動輪に対応する路面の摩擦係数の差がまたぎ路判定の基準値以上であるときに前記駆動輪の回転振動状態を悪化させる虞れがあると判定することを特徴とする請求項１に記載の車両の駆動力制御装置。
【請求項４】
前記駆動力制御装置は運転者の駆動操作量及び車両の走行状態に基づいて車両の目標駆動力を演算する手段を有し、前記駆動力低減制御手段は前記必要度合が前記第一の基準値以上になる前後に演算された二つの目標駆動力に基づいて、前記二つの目標駆動力の間の低下変化よりも穏やかに低下変化する前記スロットル開度制御手段の制御による目標駆動力と、前記二つの目標駆動力の間の低下変化よりも穏やかに低下変化し且つ前記スロットル開度制御手段の制御による目標駆動力の低下変化よりも速やかに低下変化する前記スロットル開度制御手段及び前記エンジン出力低減手段の制御による目標駆動力とを演算し、前記必要度合が前記第二の基準値以上であり且つ前記スロットル開度制御手段の制御による目標駆動力と前記スロットル開度制御手段及び前記エンジン出力低減手段の制御による目標駆動力との偏差が偏差判定基準値以上であるときに、前記エンジン出力低減手段により前記エンジンの出力を低減するよう構成されており、前記禁止手段は前記必要度合が前記第二の基準値以上であり且つ前記スロットル開度制御手段の制御による目標駆動力と前記スロットル開度制御手段及び前記エンジン出力低減手段の制御による目標駆動力との偏差が前記偏差判定基準値以上であっても、前記回転振動状態判定手段により前記駆動輪の回転振動状態を悪化させる虞れがあると判定されているときには前記エンジン出力低減手段による前記エンジンの出力の低減を禁止することを特徴とする請求項１乃至３の何れかに記載の車両の駆動力制御装置。
【請求項５】
前記偏差判定基準値は前記エンジンの回転数が低いときには前記エンジンの回転数が高いときに比して小さくなるよう、前記エンジンの回転数に応じて可変設定されることを特徴とする請求項４に記載の車両の駆動力制御装置。
【請求項６】
前記スロットル開度制御手段の制御による目標駆動力の低下変化の勾配は前記エンジンの回転数が低いときには前記エンジンの回転数が高いときに比して小さくなるよう、前記エンジンの回転数に応じて可変設定されることを特徴とする請求項４に記載の車両の駆動力制御装置。
【請求項７】
前記スロットル開度制御手段は前記スロットル開度制御手段の制御による目標駆動力に基づいてスロットル開度を制御することを特徴とする請求項４乃至６の何れかに記載の車両の駆動力制御装置。
【請求項８】
前記エンジン出力低減手段は前記スロットル開度制御手段の制御による目標駆動力と前記スロットル開度制御手段及び前記エンジン出力低減手段の制御による目標駆動力との偏差に基づいて前記エンジンの出力を低減することを特徴とする請求項４乃至７の何れかに記載の車両の駆動力制御装置。
【請求項９】
前記駆動力低減制御手段は前記必要度合が前記第二の基準値以上であり且つ前記エンジンの回転数がエンジン回転数判定基準値以下であるときに、前記エンジン出力低減手段により前記エンジンの出力を低減するよう構成されており、前記禁止手段は前記必要度合が前記第二の基準値以上であり且つ前記エンジンの回転数が前記エンジン回転数判定基準値以下であっても、前記回転振動状態判定手段により前記駆動輪の回転振動状態を悪化させる虞れがあると判定されているときには前記エンジン出力低減手段による前記エンジンの出力の低減を禁止することを特徴とする請求項１乃至３の何れかに記載の車両の駆動力制御装置。
【請求項１０】
前記駆動力制御装置は運転者の駆動操作量及び車両の走行状態に基づいて車両の目標駆動力を演算する手段を有し、前記必要度合が前記第一の基準値以上になる前後に演算された二つの目標駆動力の差を基準目標駆動力差として、前記エンジン回転数判定基準値は前記基準目標駆動力差が大きいときには前記基準目標駆動力差が小さいときに比して大きくなるよう、前記基準目標駆動力差に応じて可変設定されることを特徴とする請求項９に記載の車両の駆動力制御装置。
【請求項１１】
前記第二の基準値は路面の摩擦性状、車両の横加速度、車速の少なくとも何れかに基づいて可変設定されることを特徴とする請求項１乃至１０の何れかに記載の車両の駆動力制御装置。
【請求項１２】
前記第二の基準値は前記エンジンの回転数が低いときには前記エンジンの回転数が高いときに比して小さくなるよう、前記エンジンの回転数に応じて可変設定されることを特徴とする請求項１乃至１１の何れかに記載の車両の駆動力制御装置。
【請求項１３】
前記駆動力低減制御手段は車両の走行運動状態に基づく車両の目標駆動力の低減要求量、駆動輪の駆動スリップの程度、路面の摩擦係数の少なくとも何れかに基づいて前記必要度合を判定することを特徴とする請求項１乃至１２の何れかに記載の車両の駆動力制御装置。
【発明の詳細な説明】
【技術分野】
【０００１】
本発明は、車両の駆動力制御装置に係り、更に詳細にはエンジンのスロットル開度の制御及び点火時期の制御により車両の駆動力を制御する駆動力制御装置に係る。
【背景技術】
【０００２】
火花点火式エンジンが搭載された自動車等の車両に於いて、エンジンのスロットル開度の制御及び点火時期の制御により車両の駆動力を制御する駆動力制御装置の一つとして、駆動輪の駆動スリップが増大するときにはスロットルバルブの全閉制御及び点火時期の遅角制御によりエンジンの出力を低下させて車両の駆動力を低下させ、駆動輪の駆動スリップが低下するときにはまず点火時期の遅角制御を終了し、しかる後スロットルバルブの全閉制御を終了するよう構成された駆動力制御装置は既に知られており、例えば下記の特許文献１に記載されている。
【特許文献１】特公平７−８４８５０号公報
【特許文献２】特開平１０−２６４８０１号公報
【発明の開示】
【０００３】
火花点火式エンジンの制御に於いては、点火時期を遅角させることにより、エンジンの出力を応答性よく低下させることができるので、車両の駆動力を応答性よく低下させることができ、また点火時期を遅角させる時間を制限することにより、点火時期の遅角に伴うエンジンの排気ガスの温度の上昇及びこれに起因する排気ガス浄化触媒の劣化を抑制することができる。
【０００４】
しかし点火時期の遅角によりエンジンの出力を低下させると、スロットルバルブの開度の低減による場合に比してエンジンの出力が急激に低下し、これによりエンジンより駆動系を経て駆動輪へ伝達される駆動力も急激に低下するため、車両の走行状況によっては駆動輪に回転振動が発生したり、駆動輪の回転振動状態が悪化したりする。
【０００５】
しかるに上記特許文献１に記載された駆動力制御装置に於いては、点火時期の遅角制御の実行時間について考慮されていないだけでなく、点火時期の遅角によりエンジンの出力を低下させると、駆動輪の回転振動状態が悪化される場合があることについても考慮されておらず、そのため車両の走行状況によっては点火時期の遅角によるエンジンの出力の低下により駆動輪の回転振動状態が悪化されるという問題がある。
【０００６】
尚上記特許文献２に記載された駆動力制御装置に於いては、点火時期の遅角制御の実行時間が制限されてはいるが、この駆動力制御装置に於いても点火時期の遅角によりエンジンの出力を低下させると、車両の走行状況によっては駆動輪の回転振動状態が悪化される場合があることについて考慮されておらず、上記特許文献１に記載された駆動力制御装置の場合と同様の問題がある。
【０００７】
またエンジンへの燃料供給量を低減することによっても、点火時期の遅角制御の場合と同様にスロットル開度の低減制御よりも応答性よくエンジンの出力を低下させることができるが、エンジンへの燃料供給量を低減する場合にも、点火時期の遅角制御の場合と同様にエンジンの排気ガスの温度上昇及びこれに起因する排気ガス浄化触媒の劣化が生じ易くなると共に、車両の走行状況によっては駆動輪の回転振動状態が悪化する。
【０００８】
本発明は、エンジンのスロットル開度の低減に加えて点火時期の遅角若しくは燃料供給量の低減によるエンジン出力の低減を行うことにより車両の駆動力を低減する場合に於ける上述の如き問題に鑑みてなされたものであり、本発明の主要な課題は、点火時期の遅角若しくは燃料供給量の低減により車両の駆動力を低減するに際し、駆動輪の回転振動状態が悪化する虞れを判定することにより、駆動輪の回転振動状態の悪化を防止しつつ車両の駆動力を効果的に低減することである。
【０００９】
〔課題を解決するための手段及び発明の効果〕
上述の主要な課題は、本発明によれば、請求項１の構成、即ち少なくとも運転者の駆動操作量に基づいてエンジンのスロットル開度の制御を行うスロットル開度制御手段と、前記エンジンの点火時期の遅角若しくは前記エンジンへの燃料供給量の低減により前記エンジンの出力を低減するエンジン出力低減手段と、車両の走行状態に基づいて車両の駆動力の低減の必要度合を判定し、前記必要度合が高いときには少なくとも前記スロットル開度制御手段を制御することにより前記エンジンの出力を低下させる駆動力低減制御手段とを有し、前記駆動力低減制御手段は前記必要度合が第一の基準値以上であるときには前記スロットル開度制御手段により制御されるスロットル開度を低減し、前記必要度合が前記第一の基準値よりも大きい第二の基準値以上であるときには前記スロットル開度制御手段により制御されるスロットル開度の低減に加えて前記エンジン出力低減手段により前記エンジンの出力を低減するよう構成された車両の駆動力制御装置であって、前記駆動力低減制御手段は前記エンジン出力低減手段による前記エンジンの出力の低減によって駆動輪の回転振動状態を悪化させる虞れを判定する回転振動状態判定手段と、前記必要度合が前記第二の基準値以上であっても前記回転振動状態判定手段により前記駆動輪の回転振動状態を悪化させる虞れがあると判定されているときには前記エンジン出力低減手段による前記エンジンの出力の低減を禁止する禁止手段とを有することを特徴とする車両の駆動力制御装置によって達成される。
【００１０】
上記請求項１の構成によれば、車両の走行状態に基づいて車両の駆動力の低減の必要度合が判定され、必要度合が第一の基準値以上であるときにはスロットル制御手段により制御されるスロットル開度が低減され、必要度合が第一の基準値よりも大きい第二の基準値以上であるときにはスロットル開度制御手段により制御されるスロットル開度の低減に加えてエンジン出力低減手段によりエンジンの出力が低減されるので、車両の駆動力の低減の必要度合が第二の基準値以上であり非常に高い状況に於いてのみエンジン出力低減手段によるエンジン出力の低減を行わせることができる。
【００１１】
また上記請求項１の構成によれば、前記必要度合が第二の基準値以上であっても回転振動状態判定手段により駆動輪の回転振動状態を悪化させる虞れがあると判定されているときにはエンジン出力低減手段によるエンジンの出力の低減が禁止されるので、エンジン出力低減手段によるエンジン出力の低減により駆動輪の回転振動状態を悪化させる虞れがあるときにエンジン出力低減手段によるエンジン出力の低減が行われることを確実に防止することができる。
【００１２】
従って車両の駆動力の低減の必要度合が第一の基準値以上であるが第二の基準値未満であるときにはエンジン出力低減手段によりエンジン出力が低減されることを防止してエンジンの排気ガスの温度上昇及びこれに起因する排気ガス浄化触媒の劣化を防止することができ、また車両の駆動力の低減の必要度合が第二の基準値以上であり非常に高い状況に於いてはスロットル開度の低減に加えてエンジン出力低減手段によりエンジン出力を低減することにより、エンジンの出力を確実に且つ効果的に低下させることができ、これにより車両の駆動力を確実に且つ効果的に低下させることができ、更にはエンジン出力低減手段によるエンジン出力の低減に起因して駆動輪の回転振動状態が悪化することを確実に防止することができる。
【００１３】
尚、車両の駆動力の低減の必要度合が第二の基準値以上であるときにはスロットル開度の低減及びエンジン出力低減手段によるエンジン出力の低減の両者によりエンジン出力が低下され、これにより車両の駆動力が効率的に低下されるので、駆動力の低減の必要度合が速やかに低下し、従ってエンジン出力低減手段によるエンジン出力の低減が実行される時間が過剰に長くなることはない。
【００１４】
また本発明によれば、上述の主要な課題を効果的に達成すべく、上記請求項１の構成に於いて、前記回転振動状態判定手段は前記駆動輪の回転振動を検出する手段を含み、前記駆動輪の回転振動の度合が回転振動判定の基準値以上であるときに前記駆動輪の回転振動状態を悪化させる虞れがあると判定するよう構成される（請求項２の構成）。
【００１５】
また本発明によれば、上述の主要な課題を効果的に達成すべく、上記請求項１の構成に於いて、前記回転振動状態判定手段は左右の駆動輪に対応する路面の摩擦係数を検出する手段を含み、前記左右の駆動輪に対応する路面の摩擦係数の差がまたぎ路判定の基準値以上であるときに前記駆動輪の回転振動状態を悪化させる虞れがあると判定するよう構成される（請求項３の構成）。
【００１６】
エンジン出力低減手段によりエンジンの出力を低下させる場合に駆動輪の回転振動状態が悪化するのは、駆動輪に既にある程度の回転振動が発生している場合や左右の車輪に対応する路面の摩擦係数の差が大きい状況に於いて顕著であるので、駆動輪に既にある程度の回転振動が発生しているか否かの判定や左右の車輪に対応する路面の摩擦係数の差が大きいか否かの判定により、駆動輪の回転振動状態を悪化させる虞れがあるか否かを判定することができる。
【００１７】
上記請求項２の構成によれば、駆動輪の回転振動の度合が回転振動判定の基準値以上であるときに駆動輪の回転振動状態を悪化させる虞れがあると判定され、上記請求項３の構成によれば、左右の駆動輪に対応する路面の摩擦係数の差がまたぎ路判定の基準値以上であるときに駆動輪の回転振動状態を悪化させる虞れがあると判定されるので、エンジン出力低減手段によってエンジンの出力を低下させることにより駆動輪の回転振動状態が悪化するか否かを確実に判定することができる。
【００１８】
また本発明によれば、上述の主要な課題を効果的に達成すべく、上記請求項１乃至３の何れかの構成に於いて、前記駆動力制御装置は運転者の駆動操作量及び車両の走行状態に基づいて車両の目標駆動力を演算する手段を有し、前記駆動力低減制御手段は前記必要度合が前記第一の基準値以上になる前後に演算された二つの目標駆動力に基づいて、前記二つの目標駆動力の間の低下変化よりも穏やかに低下変化する前記スロットル開度制御手段の制御による目標駆動力と、前記二つの目標駆動力の間の低下変化よりも穏やかに低下変化し且つ前記スロットル開度制御手段の制御による目標駆動力の低下変化よりも速やかに低下変化する前記スロットル開度制御手段及び前記エンジン出力低減手段の制御による目標駆動力とを演算し、前記必要度合が前記第二の基準値以上であり且つ前記スロットル開度制御手段の制御による目標駆動力と前記スロットル開度制御手段及び前記エンジン出力低減手段の制御による目標駆動力との偏差が偏差判定基準値以上であるときに、前記エンジン出力低減手段により前記エンジンの出力を低減するよう構成されており、前記禁止手段は前記必要度合が前記第二の基準値以上であり且つ前記スロットル開度制御手段の制御による目標駆動力と前記スロットル開度制御手段及び前記エンジン出力低減手段の制御による目標駆動力との偏差が前記偏差判定基準値以上であっても、前記回転振動状態判定手段により前記駆動輪の回転振動状態を悪化させる虞れがあると判定されているときには前記エンジン出力低減手段による前記エンジンの出力の低減を禁止するよう構成される（請求項４の構成）。
【００１９】
上記請求項４の構成によれば、車両の駆動力の低減の必要度合が第一の基準値以上になる前後に演算された二つの目標駆動力の間の低下変化よりも穏やかに低下変化するスロットル開度制御手段の制御による目標駆動力と、二つの目標駆動力の間の低下変化よりも穏やかに低下変化し且つスロットル開度制御手段の制御による目標駆動力の低下変化よりも速やかに低下変化するスロットル開度制御手段及びエンジン出力低減手段の制御による目標駆動力とが演算され、前記必要度合が第二の基準値以上であり且つスロットル開度制御手段の制御による目標駆動力とスロットル開度制御手段及びエンジン出力低減手段の制御による目標駆動力との偏差が偏差判定基準値以上であるときに、エンジン出力低減手段によりエンジンの出力が低減される。
【００２０】
従って車両の目標駆動力の低下量が大きく、必要度合が第二の基準値以上であり且つ前記二つの目標駆動力の偏差が偏差判定基準値以上であるときには、スロットル開度の低減及びエンジン出力低減手段によるエンジン出力の低減によってエンジンの出力を確実に且つ効果的に低下させることができ、また必要度合が第二の基準値以上であるが前記二つの目標駆動力の偏差が偏差判定基準値未満であるときには、エンジン出力低減手段によるエンジン出力の低減が行われることを防止してスロットル開度の低減によるエンジン出力の低下のみを行い、これによりエンジン出力低減手段によるエンジン出力の低減に起因するエンジンの排気ガスの温度上昇及びこれに起因する排気ガス浄化触媒の劣化を確実に防止することができる。
【００２１】
また上記請求項４の構成によれば、必要度合が第二の基準値以上であり且つスロットル開度制御手段の制御による目標駆動力とスロットル開度制御手段及びエンジン出力低減手段の制御による目標駆動力との偏差が偏差判定基準値以上であっても、回転振動状態判定手段により駆動輪の回転振動状態を悪化させる虞れがあると判定されているときにはエンジン出力低減手段によるエンジンの出力の低減が禁止されるので、エンジン出力低減手段によるエンジンの出力の低減が必要であっても、駆動輪の回転振動状態を悪化させる虞れがあるときには、エンジン出力低減手段によりエンジンの出力が低減されること及びこれに起因して駆動輪の回転振動状態が悪化することを確実に防止することができる。
【００２２】
また本発明によれば、上述の主要な課題を効果的に達成すべく、上記請求項４の構成に於いて、前記偏差判定基準値は前記エンジンの回転数が低いときには前記エンジンの回転数が高いときに比して小さくなるよう、前記エンジンの回転数に応じて可変設定されるよう構成される（請求項５の構成）。
【００２３】
エンジンの回転数が低いときにはエンジンの回転数が高いときに比してエンジン内に於ける空気や混合ガス等の流速が低くなり、これに起因してスロットル開度が低減されることによるエンジン出力の低下速度が低くなるので、エンジン出力を効果的に低下させるためには、エンジンの回転数が低いときにはエンジンの回転数が高いときに比してエンジン出力低減手段によるエンジン出力の低減の必要性が高い。
【００２４】
上記請求項５の構成によれば、偏差判定基準値はエンジンの回転数が低いときにはエンジンの回転数が高いときに比して小さくなるよう、エンジンの回転数に応じて可変設定されるので、エンジンの回転数が低いときにはエンジンの回転数が高いときに比して前記二つの目標駆動力の偏差が偏差判定基準値以上であると判定され易くすることができ、これによりエンジン出力低減手段によるエンジン出力の低減を行わせ易くすることができる。
【００２５】
また本発明によれば、上述の主要な課題を効果的に達成すべく、上記請求項４の構成に於いて、前記スロットル開度制御手段の制御による目標駆動力の低下変化の勾配は前記エンジンの回転数が低いときには前記エンジンの回転数が高いときに比して小さくなるよう、前記エンジンの回転数に応じて可変設定されるよう構成される（請求項６の構成）。
【００２６】
上記請求項６の構成によれば、スロットル開度制御手段の制御による目標駆動力の低下変化の勾配はエンジンの回転数が低いときにはエンジンの回転数が高いときに比して小さくなるよう、エンジンの回転数に応じて可変設定されるので、エンジンの回転数が低いときにはエンジンの回転数が高いときに比して前記二つの目標駆動力の偏差を大きくして前記二つの目標駆動力の偏差が偏差判定基準値以上になり易くすることができ、これによりエンジン出力低減手段によるエンジン出力の低減を行わせ易くすることができる。
【００２７】
また本発明によれば、上述の主要な課題を効果的に達成すべく、上記請求項４乃至６の何れかの構成に於いて、前記必要度合が前記第一の基準値以上であるときには、前記スロットル開度制御手段は前記スロットル開度制御手段の制御による目標駆動力に基づいてスロットル開度を制御するよう構成される（請求項７の構成）。
【００２８】
上記請求項７の構成によれば、スロットル開度制御手段の制御による目標駆動力に基づいてスロットル開度が制御されるので、スロットル開度制御手段の制御による目標駆動力の低下変化に対応するようスロットル開度を低減制御することができる。
【００２９】
また本発明によれば、上述の主要な課題を効果的に達成すべく、上記請求項２乃至７の何れかの構成に於いて、前記必要度合が前記第二の基準値以上であるときには、前記エンジン出力低減手段は前記スロットル開度制御手段の制御による目標駆動力と前記スロットル開度制御手段及び前記エンジン出力低減手段の制御による目標駆動力との偏差に基づいて前記エンジンの出力を低減するよう構成される（請求項８の構成）。
【００３０】
上記請求項８の構成によれば、スロットル開度制御手段の制御による目標駆動力とスロットル開度制御手段及びエンジン出力低減手段の制御による目標駆動力との偏差に基づいてエンジンの出力が低減されるので、スロットル制御手段の制御による目標駆動力の低下変化に対応するようスロットル開度を低減制御することができると共に、エンジン出力低減手段の制御による目標駆動力の低下変化に対応するようエンジン出力低減手段によりエンジン出力を低減することができる。
【００３１】
また本発明によれば、上述の主要な課題を効果的に達成すべく、上記請求項１乃至３の何れかの構成に於いて、前記駆動力低減制御手段は前記必要度合が前記第二の基準値以上であり且つ前記エンジンの回転数がエンジン回転数判定基準値以下であるときに、前記エンジン出力低減手段により前記エンジンの出力を低減するよう構成されており、前記禁止手段は前記必要度合が前記第二の基準値以上であり且つ前記エンジンの回転数が前記エンジン回転数判定基準値以下であっても、前記回転振動状態判定手段により前記駆動輪の回転振動状態を悪化させる虞れがあると判定されているときには前記エンジン出力低減手段による前記エンジンの出力の低減を禁止するよう構成される（請求項９の構成）。
【００３２】
上述の如く、エンジンの回転数が低いときにはエンジンの回転数が高いときに比してエンジン内に於ける空気や混合ガス等の流速が低くなり、これに起因してスロットル開度が低減されることによるエンジン出力の低下速度が低くなるので、エンジン出力を効果的に低下させるためには、エンジンの回転数が低いときにはエンジン出力低減手段によりエンジンの出力が確実に低減されることが好ましいが、駆動輪の回転振動状態を悪化させる虞れがあるときには、エンジンの回転数の如何に関係なく、エンジン出力低減手段によるエンジンの出力の低減が行われないことが好ましい。
【００３３】
上記請求項９の構成によれば、前記必要度合が第二の基準値以上であり且つエンジンの回転数がエンジン回転数判定基準値以下であるときに、エンジン出力低減手段によりエンジンの出力が低減されるので、エンジンの回転数が低いときにはエンジン出力低減手段によりエンジン出力を確実に低下させることができる。また必要度合が第二の基準値以上である状況に於いてエンジンの回転数がエンジン回転数判定基準値以下であれば、即座にエンジン出力低減手段によるエンジン出力の低減が開始されるので、上述の請求項４乃至８の構成の場合に比して早期にエンジン出力低減手段によるエンジン出力の低減を開始させることができ、これにより車両の駆動力を早期に低下させることができる。
【００３４】
上記請求項９の構成によれば、必要度合が第二の基準値以上であり且つエンジンの回転数がエンジン回転数判定基準値以下であっても、駆動輪の回転振動状態を悪化させる虞れがあると判定されているときにはエンジン出力低減手段によるエンジンの出力の低減が禁止されるので、上述の請求項４の構成の場合と同様、エンジン出力低減手段によるエンジンの出力の低減が必要であっても、駆動輪の回転振動状態を悪化させる虞れがあるときには、エンジン出力低減手段によりエンジンの出力が低減されること及びこれに起因して駆動輪の回転振動状態が悪化することを確実に防止することができる。
【００３５】
また本発明によれば、上述の主要な課題を効果的に達成すべく、上記請求項９の構成に於いて、前記駆動力制御装置は運転者の駆動操作量及び車両の走行状態に基づいて車両の目標駆動力を演算する手段を有し、前記駆動力低減制御手段は前記必要度合が前記第一の基準値以上になる前後に演算された二つの目標駆動力の差を基準目標駆動力差として、前記エンジン回転数判定基準値は前記基準目標駆動力差が大きいときには前記基準目標駆動力差が小さいときに比して大きくなるよう、前記基準目標駆動力差に応じて可変設定されるよう構成される（請求項１０の構成）。
【００３６】
基準目標駆動力差が大きいときには基準目標駆動力差が小さいときに比して実際に低下されなければならない車両の駆動力の低下量も大きいので、エンジン出力の低下速度が高いことが好ましく、従って基準目標駆動力差が大きいときには基準目標駆動力差が小さいときに比してエンジン出力低減手段によるエンジン出力の低減の必要性が高い。
【００３７】
上記請求項１０の構成によれば、エンジン回転数判定基準値は基準目標駆動力差が大きいときには基準目標駆動力差が小さいときに比して大きくなるよう、基準目標駆動力差に応じて可変設定されるので、基準目標駆動力差が大きいときには基準目標駆動力差が小さいときに比してエンジンの回転数がエンジン回転数判定基準値以下になり易くすることができ、これによりエンジン出力低減手段によるエンジン出力の低下を行わせ易くすることができる。
【００３８】
また本発明によれば、上述の主要な課題を効果的に達成すべく、上記請求項１乃至１０の何れかの構成に於いて、前記第二の基準値は路面の摩擦性状、車両の横加速度、車速の少なくとも何れかに基づいて可変設定されるよう構成される（請求項１１の構成）。
【００３９】
上記請求項１１の構成によれば、第二の基準値は路面の摩擦性状、車両の横加速度、車速の少なくとも何れかに基づいて可変設定されるので、第二の基準値が一定である場合に比して、車両の走行状態に応じて点火時期の遅角によるエンジン出力を低下を適確に行うことができる。
【００４０】
また本発明によれば、上述の主要な課題を効果的に達成すべく、上記請求項１乃至１１の何れかの構成に於いて、前記第二の基準値は前記エンジンの回転数が低いときには前記エンジンの回転数が高いときに比して小さくなるよう、前記エンジンの回転数に応じて可変設定されるよう構成される（請求項１２の構成）。
【００４１】
上記請求項１２の構成によれば、第二の基準値はエンジンの回転数が低いときにはエンジンの回転数が高いときに比して小さくなるよう、エンジンの回転数に応じて可変設定されるので、エンジンの回転数が低いときにはエンジンの回転数が高いときに比して前記必要度合が第二の基準値以上であると判定され易くすることができ、これによりエンジン出力低減手段によるエンジン出力の低減を行わせ易くすることができる。
【００４２】
また本発明によれば、上述の主要な課題を効果的に達成すべく、上記請求項１乃至１２の何れかの構成に於いて、前記駆動力低減制御手段は車両の走行運動状態に基づく車両の目標駆動力の低減要求量、駆動輪の駆動スリップの程度、路面の摩擦係数の少なくとも何れかに基づいて前記必要度合を判定するよう構成される（請求項１３の構成）。
【００４３】
上記請求項１３の構成によれば、車両の走行運動状態に基づく車両の目標駆動力の低減要求量、駆動輪の駆動スリップの程度、路面の摩擦係数の少なくとも何れかに基づいて車両の駆動力の低減の必要度合が判定されるので、駆動輪の駆動スリップの低減や車両の安定的な走行運動の確保が適正に達成されるよう車両の目標駆動力を過不足なく低減することができる。
【００４４】
〔課題解決手段の好ましい態様〕
本発明の一つの好ましい態様によれば、上記請求項１乃至１３の何れかの構成に於いて、禁止手段は必要度合が第二の基準値以上であっても回転振動状態判定手段により少なくとも何れかの駆動輪の回転振動状態を悪化させる虞れがあると判定されているときにはエンジン出力低減手段によるエンジンの出力の低減を禁止するよう構成される（好ましい態様１）。
【００４５】
本発明の他の一つの好ましい態様によれば、上記請求項２又は４乃至１３又は上記好ましい態様１の何れかの構成に於いて、駆動輪の回転振動を検出する手段は駆動輪の車輪速度を検出する手段を含み、駆動輪の車輪速度の周期的変動に基づいて駆動輪の回転振動を検出するよう構成される（好ましい態様２）。
【００４６】
本発明の他の一つの好ましい態様によれば、上記請求項３乃至１３の何れかの構成に於いて、またぎ路判定の基準値は左右の駆動輪に対応する路面の摩擦係数のうち低い方の摩擦係数が低いときには前記低い方の摩擦係数が高いときに比して小さくなるよう、前記低い方の摩擦係数に応じて可変設定されるよう構成される（好ましい態様３）。
【００４７】
本発明の他の一つの好ましい態様によれば、上記請求項４乃至８の何れかの構成に於いて、駆動力低減制御手段は必要度合が第一の基準値以上になる前後に演算された二つの目標駆動力の間に於ける目標駆動力の低下変化に対し第一の時定数にてフィルタ処理の演算を行うことによりスロットル制御手段の制御による目標駆動力を演算すると共に、二つの目標駆動力の間に於ける目標駆動力の低下変化に対し第一の時定数よりも大きい第二の時定数にてフィルタ処理の演算を行うことによりスロットル制御手段及びエンジン出力低減手段の制御による目標駆動力を演算するよう構成される（好ましい態様４）。
【００４８】
本発明の他の一つの好ましい態様によれば、上記請求項９又は１０の構成に於いて、駆動力制御装置は運転者の駆動操作量及び車両の走行状態に基づいて車両の目標駆動力を演算する手段を有し、駆動力低減制御手段は必要度合が第一の基準値以上になる前後に演算された二つの目標駆動力に基づいて、二つの目標駆動力の間の低下変化よりも穏やかに低下変化するスロットル制御手段の制御による目標駆動力と、二つの目標駆動力の間の低下変化よりも穏やかに低下変化し且つスロットル制御手段の制御による目標駆動力の低下変化よりも速やかに低下変化するスロットル制御手段及びエンジン出力低減手段の制御による目標駆動力とを演算し、必要度合が前記第一の基準値以上であるときには、スロットル開度制御手段はスロットル制御手段の制御による目標駆動力に基づいてスロットル開度を制御するよう構成される（好ましい態様５）。
【００４９】
本発明の他の一つの好ましい態様によれば、上記好ましい態様５の構成に於いて、必要度合が第二の基準値以上であるときには、点火時期制御手段はスロットル制御手段の制御による目標駆動力とスロットル制御手段及びエンジン出力低減手段の制御による目標駆動力との偏差に基づいてエンジンの出力を低減するよう構成される（好ましい態様６）。
【００５０】
本発明の他の一つの好ましい態様によれば、上記請求項４乃至８又は上記好ましい態様５又は６の何れかの構成に於いて、エンジン出力低減手段は点火時期制御手段であり、駆動力低減制御手段は前記必要度合が第一の基準値以上になる前後に演算された二つの目標駆動力に基づいて、前記二つの目標駆動力の間の低下変化よりも穏やかに低下変化するスロットル開度制御手段の制御による目標駆動力と、前記二つの目標駆動力の間の低下変化よりも穏やかに低下変化し且つスロットル開度制御手段の制御による目標駆動力の低下変化よりも速やかに低下変化するスロットル開度制御手段及び点火時期制御手段の制御による目標駆動力とを演算し、前記必要度合が第二の基準値以上であり且つスロットル開度制御手段の制御による目標駆動力とスロットル開度制御手段及び点火時期制御手段の制御による目標駆動力との偏差が偏差判定基準値以上であるときに、点火時期制御手段により制御される点火時期を遅角させるよう構成される（好ましい態様７）。
【００５１】
本発明の他の一つの好ましい態様によれば、上記好ましい態様７の構成に於いて、前記必要度合が第二の基準値以上であるときには、点火時期制御手段はスロットル開度制御手段の制御による目標駆動力とスロットル開度制御手段及び点火時期制御手段の制御による目標駆動力との偏差に基づいて点火時期を遅角補正するよう構成される（好ましい態様８）。
【００５２】
本発明の他の一つの好ましい態様によれば、上記請求項４乃至８又は上記好ましい態様５又は６の何れかの構成に於いて、エンジン出力低減手段は燃料供給量低減手段であり、駆動力低減制御手段は前記必要度合が第一の基準値以上になる前後に演算された二つの目標駆動力に基づいて、前記二つの目標駆動力の間の低下変化よりも穏やかに低下変化するスロットル開度制御手段の制御による目標駆動力と、前記二つの目標駆動力の間の低下変化よりも穏やかに低下変化し且つスロットル開度制御手段の制御による目標駆動力の低下変化よりも速やかに低下変化するスロットル開度制御手段及び燃料供給量低減手段の制御による目標駆動力とを演算し、前記必要度合が第二の基準値以上であり且つスロットル開度制御手段の制御による目標駆動力とスロットル開度制御手段及び燃料供給量低減手段の制御による目標駆動力との偏差が偏差判定基準値以上であるときに、燃料供給量低減手段によりエンジンへの燃料供給量を低減するよう構成される（好ましい態様９）。
【００５３】
本発明の他の一つの好ましい態様によれば、上記好ましい態様９の構成に於いて、前記必要度合が第二の基準値以上であるときには、燃料供給量低減手段はスロットル開度制御手段の制御による目標駆動力とスロットル開度制御手段及び燃料供給量低減手段の制御による目標駆動力との偏差に基づいてエンジンへの燃料供給量を低減するよう構成される（好ましい態様１０）。
【００５４】
本発明の他の一つの好ましい態様によれば、上記請求項１１乃至１３又は上記好ましい態様１乃至１０の何れかの構成に於いて、第二の基準値は路面の摩擦係数が低いときには路面の摩擦係数が高いときに比して小さくなるよう、路面の摩擦係数に応じて可変設定されるよう構成される（好ましい態様１１）。
【００５５】
本発明の他の一つの好ましい態様によれば、上記請求項１１乃至１３又は上記好ましい態様１乃至１１の何れかの構成に於いて、第二の基準値は車両の横加速度の大きさが大きいときには車両の横加速度の大きさが小さいときに比して小さくなるよう、車両の横加速度の大きさに応じて可変設定されるよう構成される（好ましい態様１２）。
【００５６】
本発明の他の一つの好ましい態様によれば、上記請求項１１乃至１３又は上記好ましい態様１乃至１２の何れかの構成に於いて、第二の基準値は車速が高いときには車速が低いときに比して小さくなるよう、車速に応じて可変設定されるよう構成される（好ましい態様１３）。
【００５７】
本発明の他の一つの好ましい態様によれば、上記請求項１３又は上記好ましい態様１乃至１３の何れかの構成に於いて、車両は車両若しくは車輪の制駆動力の制御により車両の走行運動を安定化させる走行運動制御装置を有し、走行運動制御装置による車両若しくは車輪の制駆動力の制御に伴う車両の目標駆動力の低減要求量に基づいて車両の駆動力の低減の必要度合を判定するよう構成される（好ましい態様１４）。
【発明を実施するための最良の形態】
【００５８】
以下に添付の図を参照しつつ、本発明を幾つかの好ましい実施例について詳細に説明する。
［第一の実施例］
【００５９】
図１は後輪駆動車に適用された本発明による車両の駆動力制御装置の第一の実施例を示す概略構成図（Ａ）及び制御系のブロック線図（Ｂ）である。
【００６０】
図１に於いて、駆動力制御装置１０は車両１２に搭載され、車両及び車輪の制駆動力を制御することにより車両の走行運動を制御する制駆動力制御装置１４と、火花点火式エンジン１６を制御するエンジン制御装置１８とを有している。エンジン１６の駆動力はトルクコンバータ２０及びトランスミッション２２を含む自動変速機２４を介してプロペラシャフト２６へ伝達される。プロペラシャフト２６の駆動力はディファレンシャル２８により左後輪車軸３０L及び右後輪車軸３０Rへ伝達され、これにより駆動輪である左右の後輪３２RL及び３２RRが回転駆動される。
【００６１】
一方左右の前輪３２FL及び３２FRは従動輪であると共に操舵輪であり、図１には示されていないが運転者によるステアリングホイールの操舵操作に応答して駆動されるラック・アンド・ピニオン式のパワーステアリング装置によりタイロッドを介して周知の要領にて操舵される。
【００６２】
エンジン１６の吸入空気量は吸気通路３４に設けられたスロットルバルブ３６により制御され、スロットルバルブ３６は電動機を含むスロットルアクチュエータ３８により駆動される。スロットルバルブ３６の開度、即ちスロットル開度はアクセルポジションセンサ４０により検出されるアクセルペダル４２の踏み込み量に応じてエンジン制御装置１８によりスロットルアクチュエータ３８を介して制御される。またエンジン１６の吸気通路３４の各気筒の給気ポートにはガソリンの如き燃料を噴射するインジェクタ４４が設けられており、インジェクタ４４による燃料噴射量、即ちエンジン１６への燃料供給量は図１には示されていないエアフローメータにより検出される吸入空気量Ｒaに応じてエンジン制御装置１８により制御され、これによりエンジンの出力が増減制御される。
【００６３】
周知の如く、インジェクタ４４により噴射された燃料は吸入空気と混合され、その混合気が図１には示されていないスパークプラグによって着火されることにより燃焼し、これによりエンジン１６の駆動力が発生される。混合気の燃焼により生じた排気ガスは図１には示されていない排気マニホールドより排気管４６へ排出され、排気管４６に設けられた排気ガス浄化触媒４８により浄化された後、図１には示されていないマフラーを経て大気中へ放出される。
【００６４】
エンジン制御装置１８にはアクセルポジションセンサ（ＡＰセンサ）４０よりアクセルペダル４２の踏み込み量（アクセル開度Ａp）を示す信号、スロットルポジションセンサ（ＴＰセンサ）５０よりスロットルバルブ３６の開度φを示す信号、エンジン回転数センサ（Ｎeセンサ）５２よりエンジン回転数Ｎeを示す信号が入力され、また図には示されていない他のセンサよりエンジンの制御に必要な他の情報を示す信号が入力される。
【００６５】
左右の前輪３２FL、３２FR及び左右の後輪３２RL、３２RRの制動力は制動装置５４の油圧回路５６により対応するホイールシリンダ５８FL、５８FR、５８RL、５８RRの制動圧が制御されることによって制御される。図には示されていないが、油圧回路５６はリザーバ、オイルポンプ、種々の弁装置等を含み、各ホイールシリンダ内の圧力、即ち各車輪の制動圧は通常時には運転者によるブレーキペダル６０の踏み込み操作に応じて駆動されるマスタシリンダ６２内の圧力により制御され、また必要に応じて油圧回路５６が制御されることによりマスタシリンダ６２内の圧力よりも高い圧力に制御される。
【００６６】
図１（Ｂ）に示されている如く、制駆動力制御装置１４には、横加速度センサ６４より車両の横加速度Ｇyを示す信号、左右の車輪に対応して設けられた摩擦係数センサ６６A及び６６Bより路面の摩擦係数μA及びμBを示す信号、車輪速度センサ６８i（i＝FL、FR、RL、RR)より左右の前輪及び左右の後輪の車輪速度Ｖwi（i＝FL、FR、RL、RR)を示す信号が入力される。また制駆動力制御装置１４、エンジン制御装置１８、自動変速機２４の変速段の制御を行う変速制御装置７０は必要に応じて相互に必要な信号の授受を行う。
【００６７】
尚制駆動力制御装置１４、エンジン制御装置１８、変速制御装置７０は、実際にはそれぞれＣＰＵ、ＲＯＭ、ＲＡＭ、入出力ポート装置等を含み、これらが双方向性のコモンバスにより互いに接続された周知の構成のマイクロコンピュータと駆動回路と含むものであってよい。また横加速度センサ６４は車両の左旋回時を正として車両の横加速度Ｇyを検出する。
【００６８】
エンジン制御装置１８はアクセル開度Ａp等に基づき当技術分野に於いて公知の要領にて車両の基本目標駆動力Ｆxtaを演算し、車両の基本目標駆動力Ｆxtaを示す信号を制駆動力制御装置１４へ出力する。制駆動力制御装置１４は車両の走行状態、特に路面の摩擦係数、駆動輪の駆動スリップの状態、車両の走行運動状態に基づいて車両を安定的に走行させるために車両の駆動力を低減する必要があるか否かを判定し、車両の駆動力を低減する必要があると判定したときには、路面の摩擦係数、駆動輪の駆動スリップの状態、車両の走行運動状態に基づいて車両を安定的に走行させるための車両の目標駆動力Ｆxtを演算し、車両の目標駆動力Ｆxtを示す信号をエンジン制御装置１８へ出力する。これに対し制駆動力制御装置１４は車両の駆動力を低減する必要がないと判定したときには、車両の目標駆動力Ｆxtを基本目標駆動力Ｆxtaに設定し、車両の目標駆動力Ｆxtを示す信号をエンジン制御装置１８へ出力する。
【００６９】
エンジン制御装置１８は車両の目標駆動力Ｆxtに基づいて自動変速機２４の目標変速段Ｓt及び目標スロットル開度φtを演算し、目標変速段Ｓtを示す信号を変速制御装置７０へ出力する。変速制御装置７０は自動変速機２４の変速段が目標変速段Ｓtになるよう自動変速機２４を制御する。またエンジン制御装置１８は図１には示されていないエアフローメータにより検出された吸入空気量Ｒa及びエンジン回転数Ｎeに基づき点火時期の目標進角度θtを演算する。
【００７０】
特に図示の第一の実施例に於いては、制駆動力制御装置１４は車輪速度センサ６８iにより検出される各車輪の車輪速度Ｖwiに基づき当技術分野に於いて公知の要領にて車体速度（車速）Ｖbを演算すると共に、左右後輪の車輪速度及び車体速度Ｖbに基づいて左右後輪の駆動スリップ量ＳＡrl、ＳＡrrを演算し、左右後輪の駆動スリップ量ＳＡrl、ＳＡrrの平均値ＳＡaを車両の駆動力の低減の必要度合を示す指標値として演算する。
【００７１】
そして制駆動力制御装置１４は、指標値ＳＡaが第一の基準値ＳＡa1（正の定数）以上であるか否かを判定し、指標値ＳＡaが第一の基準値ＳＡa1未満であるときには、スロットル開度低減要求フラグＦthを０にセットし、スロットル開度低減要求フラグＦthが０であることを示す信号をエンジン制御装置１８へ出力する。
【００７２】
また制駆動力制御装置１４は、指標値ＳＡaが第一の基準値ＳＡa1未満より第一の基準値ＳＡa1以上になったときには、図５に示されている如く、目標駆動力Ｆxtの低下変化、即ち指標値ＳＡaが第一の基準値ＳＡa1以上になる直前に演算された車両の目標駆動力Ｆxt（Ｆxta）より指標値ＳＡaが第一の基準値ＳＡa1以上になった直後に演算された車両の目標駆動力Ｆxt（Ｆxtb）への低下変化よりも穏やかに低下変化する値として、例えば目標駆動力Ｆxtのフィルタ処理演算によりスロットル開度の低減制御による目標駆動力Ｆxt1を演算すると共に、目標駆動力Ｆxtの低下変化よりも穏やかに且つ目標駆動力Ｆxt1よりも速やかに低下変化する値として、例えば目標駆動力Ｆxtのフィルタ処理演算によりスロットル開度の低減制御及び点火時期の遅角制御による目標駆動力Ｆxt2を演算する。
【００７３】
この場合スロットル開度の低減制御による目標駆動力Ｆxt1を演算する際のフィルタ処理の時定数は、スロットルバルブ３６の開度の低減による車両の駆動力の低下変化の応答性に応じて設定され、これによりスロットル開度の低減制御による目標駆動力Ｆxt1は、その低下変化がエンジン回転数Ｎeが車両走行時の一般的な値であるときのスロットルバルブ３６の開度の低減により達成される車両の駆動力の低下変化に対応するよう演算される。同様にスロットル開度の低減制御及び点火時期の遅角制御による目標駆動力Ｆxt2を演算する際のフィルタ処理の時定数は、スロットル開度の低減制御及び点火時期の遅角制御による車両の駆動力の低下変化の応答性に応じて設定され、これによりスロットル開度の低減制御及び点火時期の遅角制御による目標駆動力Ｆxt2は、その低下変化がエンジン回転数Ｎeが車両走行時の一般的な値であるときのスロットル開度の低減制御及び点火時期の遅角制御により達成される車両の駆動力の低下変化に対応するよう演算される。
【００７４】
また制駆動力制御装置１４は、指標値ＳＡaが第一の基準値ＳＡa1以上であるときには、スロットル開度の制御による目標駆動力Ｆxt1に基づいて目標スロットル開度φtbを演算すると共に、スロットル開度低減要求フラグＦthを１にセットし、目標スロットル開度φtb及びスロットル開度低減要求フラグＦthが１であることを示す信号をエンジン制御装置１８へ出力する。
【００７５】
エンジン制御装置１８は、制駆動力制御装置１４よりスロットル開度低減要求フラグＦthが０であることを示す信号を受信しているときには、スロットルバルブ３６の開度が目標スロットル開度φtになるようスロットルアクチュエータ３８を制御する。これに対しエンジン制御装置１８は、制駆動力制御装置１４より目標スロットル開度φtbを示す信号及びスロットル開度低減要求フラグＦthが１であることを示す信号を受信しているときには、スロットルバルブ３６の開度が目標スロットル開度φtbになるようスロットルアクチュエータ３８を制御し、これによりエンジン１６の出力を低減する。
【００７６】
また制駆動力制御装置１４は、指標値ＳＡaが第一の基準値ＳＡa1よりも大きい第二の基準値ＳＡa2（正の値）以上であるときには、スロットル開度の低減制御による目標駆動力Ｆxt1とスロットル開度の低減制御及び点火時期の遅角制御による目標駆動力Ｆxt2との偏差ΔＦxt（＝Ｆxt1−Ｆxt2）が偏差判定基準値Ｆxt3（正の定数）以上であるか否かを判定する。
【００７７】
また制駆動力制御装置１４は、目標駆動力の偏差ΔＦxtが偏差判定基準値Ｆxt3以上であると判定したときには、駆動輪である左右の後輪の車輪速度ＶwRL、ＶwRRに基づいて左右の後輪３２RL及び３２RRの回転振動の振幅ＡwRL、ＡwRRを演算し、振幅ＡwRL、ＡwRRが回転振動判定の基準値Ａwo（正の定数）以上であるか否かを判定する。
【００７８】
また制駆動力制御装置１４は、振幅ＡwRL及びＡwRRの何れも回転振動判定の基準値Ａwo未満であると判定したときには、路面の摩擦係数μA及びμBの差Δμを演算し、差Δμの絶対値がまたぎ路判定の基準値Δμo（正の定数）以上であるか否かを判定する。
【００７９】
そして制駆動力制御装置１４は、目標駆動力の偏差ΔＦxtが偏差判定基準値Ｆxt3以上でり且つ左右後輪の回転振動の振幅ＡwRL及びＡwRRの何れも回転振動判定の基準値Ａwo未満であり且つ路面の摩擦係数μA及びμBの差Δμの絶対値がまたぎ路判定の基準値Δμo以下であるときには、目標駆動力の偏差ΔＦxtに基づいて点火時期の遅角補正量θtbを演算すると共に、点火時期の遅角要求フラグＦigを１にセットし、点火時期の遅角補正量θtb及び点火時期の遅角要求フラグＦigが１であることを示す信号をエンジン制御装置１８へ出力する。
【００８０】
これに対し制駆動力制御装置１４は、指標値ＳＡaが第一の基準値ＳＡa1以上であるが第二の基準値ＳＡa2未満であるとき、指標値ＳＡaが第二の基準値ＳＡa2以上であるが目標駆動力の偏差ΔＦxtが偏差判定基準値Ｆxt3未満であるとき、指標値ＳＡaが第二の基準値ＳＡa2以上であり且つ目標駆動力の偏差ΔＦxtが偏差判定基準値Ｆxt3以上であるが、左右後輪の回転振動の振幅ＡwRL及びＡwRRの何れかが回転振動判定の基準値Ａwo以上であるか、路面の摩擦係数μA及びμBの差Δμの絶対値がまたぎ路判定の基準値Δμoよりも大きいときには、点火時期の遅角補正量θtbを０にリセットすると共に、点火時期の遅角要求フラグＦigを０にリセットし、点火時期の遅角要求フラグＦigが０であることを示す信号をエンジン制御装置１８へ出力する。
【００８１】
エンジン制御装置１８は、制駆動力制御装置１４より点火時期の遅角要求フラグＦigが０であることを示す信号を受信しているときには、補正前の目標進角度θtに基づきディストリビュータ７２を制御することにより、点火時期、即ちディストリビュータ５２より図１には示されていない各気筒のスパークプラグに対する着火電流の出力タイミングを制御する。これに対しエンジン制御装置１８は、制駆動力制御装置１４より点火時期の遅角要求フラグＦigが１であることを示す信号を受信しているときには、点火時期の目標進角度θtを遅角補正量θtbだけ遅角側へ補正し、遅角補正後の目標進角度θta（＝θt−θtb）に基づきディストリビュータ７２を制御し、これにより点火時期を遅角させることによってエンジン１６の出力を低減する。
【００８２】
次に図２に示されたフローチャートを参照して第一の実施例に於いて制駆動力制御装置１４により達成される車両の目標駆動力演算ルーチンについて説明する。尚図２に示されたフローチャートによる制御は図には示されていないイグニッションスイッチの閉成により開始され、所定の時間毎に繰返し実行される。またこのことは後述の図３及び図４に示されたフローチャートによる制御についても同様である。
【００８３】
まずステップ２１０に於いては車輪速度センサ６８iにより検出された車輪速度Ｖwiを示す信号等の読み込みが行なわれ、ステップ２２０に於いては当技術分野に於いて公知の要領にて車両の走行挙動がスピン状態又はドリフトアウト状態の如く悪化しているか否かの判別が行われ、否定判別が行われたときにはステップ２５０へ進み、肯定判別が行われたときにはステップ２２０に於いて車両の走行挙動を安定化させるために必要な車両の目標駆動力Ｆxtが当技術分野に於いて公知の要領にて演算される。
【００８４】
ステップ２２５に於いては左右後輪の車輪速度ＶwRL、ＶwRR及び車体速度Ｖbに基づいて左右後輪の駆動スリップ量ＳＡrl、ＳＡrrが演算されると共に、左右後輪の駆動スリップ量ＳＡrl、ＳＡrrの平均値が車両の駆動力の低減の必要度合を示す指標値ＳＡaとして演算される。
【００８５】
ステップ２３０に於いては指標値ＳＡaが第一の基準値ＳＡa1以上であるか否かの判別、即ちスロットル開度の制御によるエンジン１６の出力トルクの低減制御が必要であるか否かの判別が行われ、否定判別が行われたときにはステップ２４０へ進み、肯定判別が行われたときにはステップ２３５に於いて指標値ＳＡaに基づいて左右後輪の駆動スリップを低減するために必要な車両の目標駆動力Ｆxtが当技術分野に於いて公知の要領にて演算される。
【００８６】
ステップ２４０に於いては摩擦係数センサ６６により検出された路面の摩擦係数μが基準値μo（正の定数）以下であるか否かの判別、即ち左右後輪の駆動スリップが過大になる虞れがあるか否かの判別が行われ、否定判別が行われたときにはステップ２５０へ進み、肯定判別が行われたときにはステップ２４５に於いて路面の摩擦係数μに基づいて左右後輪の駆動スリップが過大になる虞れを低減するために必要な車両の目標駆動力Ｆxtが当技術分野に於いて公知の要領にて演算される。
【００８７】
ステップ２５０に於いては車両の目標駆動力Ｆxtが車両の基本目標駆動力Ｆxtaに設定され、ステップ２５５に於いてはステップ２２０、２３５、２４５、又は２５０に於いて演算された車両の目標駆動力Ｆxtがエンジン制御装置１８へ出力される。
【００８８】
次に図３に示されたフローチャートを参照して第一の実施例に於いて制駆動力制御装置１４により達成される車両の目標駆動力及び点火時期の補正制御ルーチンについて説明する。
【００８９】
まずステップ３１０に於いては図２に示された車両の目標駆動力演算ルーチンに於いて演算された指標値ＳＡaを示す信号等の読み込みが行われ、ステップ３１５に於いては指標値ＳＡaが第一の基準値ＳＡa1以上であるか否かの判別、即ちスロットル開度の制御によるエンジン１６の出力トルクの低減制御が必要であるか否かの判別が行われ、肯定判別が行われたときにはステップ３２５へ進み、否定判別が行われたときにはステップ３２０に於いてスロットル開度低減要求フラグＦthが０にリセットされ、しかる後ステップ３８０へ進む。
【００９０】
ステップ３２５に於いては指標値ＳＡaが第一の基準値ＳＡa1以上になる直前に演算された車両の目標駆動力Ｆxtより指標値ＳＡaが第一の基準値ＳＡa1以上になった直後に演算された車両の目標駆動力Ｆxtまでの車両の目標駆動力Ｆxtの低下変化よりも穏やかに低下変化する値として、例えば目標駆動力Ｆxtのフィルタ処理演算によりスロットル開度の低減制御による目標駆動力Ｆxt1が演算されると共に、目標駆動力Ｆxtの低下変化よりも穏やかに且つ目標駆動力Ｆxt1よりも速やかに低下変化する値として、例えば目標駆動力Ｆxtのフィルタ処理演算により点火時期の遅角制御による目標駆動力Ｆxt2が演算される。
【００９１】
ステップ３３５に於いてはスロットル開度低減要求フラグＦthが１にセットされると共に、スロットル開度の低減制御による目標駆動力Ｆxt1及び変速制御装置７０より入力される自動変速機２４の変速段の情報に基づいて車両の駆動力を目標駆動力Ｆxt1にするための目標スロットル開度φtbが演算され、ステップ３４０に於いては車速Ｖb、車両の横加速度Ｇy、路面の摩擦係数μ、エンジン回転数Ｎeに基づいて図６に示されたマップより指標値ＳＡaに関する第二の基準値ＳＡa2が演算される。この場合第二の基準値ＳＡa2は、図６に示されている如く、車速Ｖbが高いほど小さく、車両の横加速度Ｇyの絶対値が大きいほど小さく、路面の摩擦係数μが低いほど小さく、エンジン回転数Ｎeが低いほど小さくなるよう演算される。
【００９２】
ステップ３４５に於いては指標値ＳＡaが第二の基準値ＳＡa2以上であるか否かの判別、即ち点火時期の遅角制御によるエンジン１６の出力トルクの低減制御が必要であるか否かの判別が行われ、否定判別が行われたときにはステップ３８０へ進み、肯定判別が行われたときにはステップ３５０へ進む。
【００９３】
ステップ３５０に於いてはエンジン回転数Ｎeが低いほど偏差判定基準値Ｆxt3が小さくなるよう、エンジン回転数Ｎeに基づいて図７に示されたマップより偏差判定基準値Ｆxt3が演算される。
【００９４】
ステップ３５５に於いてはスロットル開度の制御による目標駆動力Ｆxt1と点火時期の遅角制御による目標駆動力Ｆxt2との偏差ΔＦxtが偏差判定基準値Ｆxt3以上であるか否かの判別、即ち点火時期の遅角制御によるエンジン１６の出力トルクの低減制御が許容される状況であるか否かの判別が行われ、否定判別が行われたときにはステップ３８０へ進み、肯定判別が行われたときにはステップ３７０へ進む。
【００９５】
ステップ３７０に於いては左右の後輪の車輪速度ＶwRL、ＶwRRに基づいて左右の後輪３２RL及び３２RRの回転振動の振幅ＡwRL及びＡwRRが演算されると共に、振幅ＡwRL及びＡwRRの少なくとも一方が回転振動判定の基準値Ａwo以上であるか否かの判別、即ち駆動輪である左右の後輪の少なくとも一方に回転振動が発生しているか否かの判別が行われ、肯定判別が行われたときにはステップ３８０へ進み、否定判別が行われたときにはステップ３７５へ進む。
【００９６】
この場合回転振動の振幅ＡwRL、ＡwRRは、当技術分野に於いて公知の任意の要領にて求められてよく、例えば左右の後輪の車輪速度ＶwRL、ＶwRRに対しバンドパスフィルタの処理を行うことによって車輪速度ＶwRL、ＶwRRの振動成分が抽出され、該振動成分の半周期分の振動波形について車輪速度の最大値と最小値との差が演算されることにより求められてよい。
【００９７】
ステップ３７５に於いては路面の摩擦係数μA及びμBの差Δμが演算されると共に、差Δμの絶対値がまたぎ路判定の基準値Δμo以上であるか否かの判別、即ち左右の駆動陸に対応する路面の摩擦係数の差が大きく、走行路が所謂またぎ路であるか否かの判別が行われ、否定判別が行われたときにはステップ３８５へ進み、肯定判別が行われたときにはステップ３８０に於いて点火時期の遅角要求フラグＦigがオフにリセットされると共に、点火時期の遅角補正量θtbが０に設定され、しかる後ステップ３９０へ進む。
【００９８】
ステップ３８５に於いては点火時期の遅角要求フラグＦigが１にセットされると共に、点火時期の遅角制御による目標駆動力Ｆxt2が小さいほど点火時期の遅角補正量θtが大きくなるよう、点火時期の遅角制御による目標駆動力Ｆxt2に基づいて点火時期の遅角補正量θtが演算され、ステップ３９０に於いてはスロットル開度低減要求フラグＦth、目標スロットル開度φstb、点火時期の遅角要求フラグＦig、点火時期の遅角補正量θtを示す信号がエンジン制御装置１８へ出力され、しかる後ステップ３１０へ戻る。
【００９９】
次に図４に示されたフローチャートを参照して第一の実施例に於いてエンジン制御装置１８により達成されるスロットル開度及び点火時期の制御ルーチンについて説明する。
【０１００】
まずステップ４１０に於いては車両の目標駆動力Ｆxtを示す信号等の読み込みが行なわれ、ステップ４１５に於いては目標駆動力Ｆxtに基づいて当技術分野に於いて公知の要領にて自動変速機２４の目標変速段Ｓtが演算され、目標変速段Ｓtを示す信号が変速制御装置７０へ出力される。
【０１０１】
ステップ４２０に於いては目標駆動力Ｆxtに基づいて当技術分野に於いて公知の要領にて目標スロットル開度φtが演算され、ステップ４２５に於いてはエアフローメータにより検出された吸入空気量Ｒa及びエンジン回転数Ｎeに基づき点火時期の目標進角度θtが演算される。
【０１０２】
ステップ４３０に於いてはスロットル開度低減要求フラグＦthが１であるか否かの判別、即ちスロットル開度が低減されるべき状況であるか否かの判別が行われ、否定判別が行われたときにはステップ４３５に於いてスロットルバルブ３６の開度が目標スロットル開度φtになるようスロットルアクチュエータ３８が制御され、肯定判別が行われたときにはステップ４４０に於いてスロットルバルブ３６の開度が低減された目標スロットル開度φtbになるようスロットルアクチュエータ３８が制御される。
【０１０３】
ステップ４４５に於いては点火時期の遅角要求フラグＦigが１であるか否かの判別、即ち点火時期が遅角されるべき状況であるか否かの判別が行われ、否定判別が行われたときにはステップ４４５に於いて補正前の目標進角度θtに基づきディストリビュータ７２が制御され、肯定判別が行われたときにはステップ４５０に於いて遅角補正後の目標進角度θta（＝θt−θtb）に基づきディストリビュータ７２が制御される。
【０１０４】
かくして図示の第一の実施例によれば、図２に示された車両の目標駆動力演算ルーチンに於いて路面の摩擦係数、駆動輪の駆動スリップの状態、車両の走行運動状態に基づいて車両を安定的に走行させるために車両の駆動力を低減する必要がないと判定されたときには、車両の目標駆動力Ｆxtがアクセル開度Ａp等に基づき演算される基本目標駆動力Ｆxtaに設定され、路面の摩擦係数、駆動輪の駆動スリップの状態、車両の走行運動状態に基づいて車両を安定的に走行させるために車両の駆動力を低減する必要があると判定されたときには、車両の目標駆動力Ｆxtが路面の摩擦係数、駆動輪の駆動スリップの状態、車両の走行運動状態に基づいて車両を安定的に走行させるための車両の目標駆動力Ｆxtが演算される。
【０１０５】
また図３に示された車両の目標駆動力及び点火時期の補正制御ルーチンのステップ３１５に於いて車両の駆動力の低減の必要度合を示す指標値ＳＡa、即ち左右後輪の駆動スリップ量ＳＡrl、ＳＡrrの平均値が第一の基準値ＳＡa1以上であるか否かの判別により、スロットル開度の制御によるエンジン１６の出力トルクの低減制御が必要であるか否かの判別が行われる。
【０１０６】
そしてステップ３１５に於いて肯定判別が行われたときにはステップ３３０に於いて実際のスロットル開度の低減制御による車両の駆動力の低下の応答性に対応するよう目標駆動力Ｆxtの低下変化よりも穏やかに低下変化する値としてスロットル開度の低減制御による目標駆動力Ｆxt1が演算されると共に、実際のスロットル開度の低減制御及び実際の点火時期の遅角制御による車両の駆動力の低下の応答性に対応するよう目標駆動力Ｆxtの低下変化よりも穏やかに低下変化し且つ目標駆動力Ｆxt1よりも速やかに低下変化する値としてスロットル開度の低減制御及び点火時期の遅角制御による目標駆動力Ｆxt2が演算される。
【０１０７】
またステップ３４５に於いて指標値ＳＡaが第二の基準値ＳＡa2以上であるか否かの判別により、点火時期の遅角制御によるエンジン１６の出力トルクの低減制御が必要であるか否かの判別が行われ、ステップ３５５に於いてスロットル開度の制御による目標駆動力Ｆxt1と点火時期の遅角制御による目標駆動力Ｆxt2との偏差ΔＦxtが偏差判定基準値Ｆxt3以上であるか否かの判別が行われることにより、点火時期の遅角制御によるエンジン１６の出力トルクの低減制御が許容される状況であるか否かの判別が行われる。
【０１０８】
更にステップ３７０に於いて左右の後輪の車輪速度ＶwRL、ＶwRRに基づいて左右の後輪の少なくとも一方に回転振動が発生しているか否かの判別が行われ、ステップ３７５に於いて走行路が所謂またぎ路であるか否かの判別が行われることにより、左右後輪の回転振動状態の悪化を防止するために点火時期の遅角制御によるエンジン１６の出力トルクの低減が禁止されるべき状況であるか否かの判別が行われる。
【０１０９】
そしてステップ３３０、３４５、３５５に於いて肯定判別が行われ且つステップ３７０及び３７５に於いて否定判別が行われた場合には、ステップ３３５、３８５及び図４に示されたスロットル開度及び点火時期の制御ルーチンのステップ４４０及び４５０によりスロットル開度の低減制御によるエンジン１６の出力トルクの低減制御及び点火時期の遅角制御によるエンジン１６の出力トルクの低減制御が実行される。
【０１１０】
これに対しステップ３３０に於いて肯定判別が行われてもステップ３４５又は３５５に於いて否定判別が行われた場合や、ステップ３３０、３４５、３５５に於いて肯定判別が行われてもステップ３７０又は３７５に於いて肯定判別が行われた場合には、ステップ３８０及び図４に示されたスロットル開度及び点火時期の制御ルーチンのステップ４４０及び４５５によりスロットル開度の制御によるエンジン１６の出力トルクの低減制御のみが実行され、点火時期は遅角されることなく通常通り制御される。
【０１１１】
従ってこの第一の実施例によれば、指標値ＳＡaが大きく、エンジン１６の出力トルクの低減の必要度合が非常に高く、点火時期の遅角制御によるエンジン１６の出力トルクの低減が行われても左右後輪の回転振動状態の悪化を来たす虞れがない状況に於いてのみ、スロットル開度の低減制御によるエンジン１６の出力トルクの低減制御に加えて点火時期の遅角制御によるエンジン１６の出力トルクの低減制御を行うことができ、よって車両の駆動力の低減が必要であるがその必要度合が非常に高くはない状況に於いては点火時期が遅角されることを防止してエンジンの排気ガスの温度上昇及びこれに起因する排気ガス浄化触媒４８の劣化を防止することができ、また車両の駆動力の低減の必要度合が非常に高い状況に於いてはスロットル開度を低減すると共に点火時期を遅角させることによりエンジンの出力を確実に且つ効果的に低下させて車両の駆動力を確実に且つ効果的に低下させることができる。
【０１１２】
またエンジン１６の出力トルクの低減の必要度合が非常に高くても、点火時期の遅角制御によるエンジン１６の出力トルクの低減が行われると左右後輪の回転振動状態が悪化する虞れがあるときには、点火時期が遅角されることを防止し、これにより点火時期の遅角制御によるエンジン１６の出力トルクの低減によって左右後輪の回転振動状態が悪化されることを確実に防止することができる。
【０１１３】
例えば指標値ＳＡaが増減することにより、図８に示されている如く、ステップ３１５の判別が時点ｔ1に於いて肯定判別になり、時点ｔ10に於いて否定判別になり、ステップ３４５の判別が時点ｔ1よりも後の時点ｔ2に於いて肯定判別になり、時点ｔ10よりも前の時点ｔ6に於いて否定判別になったとする。またステップ３５５の判別が時点ｔ2よりも後の時点ｔ3に於いて肯定判別になり、時点ｔ6よりも前の時点ｔ4及びｔ5に於いてそれぞれ否定判別及び肯定判別になり、時点ｔ6よりも後の時点ｔ7に於いて否定判別になり、更に時点ｔ10よりも前の時点ｔ8及びｔ9に於いてそれぞれ肯定判別及び否定判別になったとする。
【０１１４】
この状況に於いては、ステップ３７０又は３７５に於いて肯定判別が行われることにより点火時期の遅角が禁止されない限り、時点ｔ1より時点ｔ10までスロットル開度低減要求フラグＦthが１になり、時点ｔ3より時点ｔ4まで及び時点ｔ5より時点ｔ6まで点火時期の遅角要求フラグＦigが１になる。よって時点ｔ1より時点ｔ10までスロットル開度が低減されるが、点火時期が遅角されるのは時点ｔ3より時点ｔ4まで及び時点ｔ5より時点ｔ6までの時間である。
【０１１５】
一般に、エンジン回転数Ｎeが低いときにはエンジン回転数Ｎeが高いときに比して、エンジン１６内に於ける空気や混合ガス等の流速が低くなり、これに起因してスロットル開度が低減されることによるエンジン出力の低下速度が低くなるので、エンジン出力を効果的に低下させるためには、エンジン回転数Ｎeが低いときにはエンジン回転数Ｎeが高いときに比して点火時期が遅角される必要性が高い。
【０１１６】
特に図示の第一の実施例によれば、ステップ３５０に於いて図７に示されたマップに基づいてエンジン回転数Ｎeが低いほど偏差判定基準値Ｆxt3が小さくなるよう、エンジン回転数Ｎeに応じて偏差判定基準値Ｆxt3が可変設定されるので、エンジン回転数Ｎeが低いときにはエンジン回転数Ｎeが高いときに比して目標駆動力の偏差ΔＦxtが偏差判定基準値Ｆxt3以上であると判定され易くすることができ、従ってエンジン回転数Ｎeが低く、スロットル開度が低減されることによるエンジン出力の低下速度が低い状況に於いても、点火時期の遅角によりエンジン出力を効果的に低下させ、これにより車両の駆動力を効果的に低下させることができる。
［第二の実施例］
【０１１７】
図９は本発明による車両の駆動力制御装置の第二の実施例に於いて制駆動力制御装置１４により達成される車両の目標駆動力及び点火時期の補正制御ルーチンを示すフローチャートである。尚図９に於いて図３に示されたステップと同一のステップには図３に於いて付されたステップ番号と同一のステップ番号が付されている。
【０１１８】
この実施例に於いては、車両の目標駆動力演算ルーチン及びスロットル開度及び点火時期の制御ルーチンの各ステップは上述の第一の実施例の場合と同様に実行される。またこの実施例の車両の目標駆動力及び点火時期の補正制御ルーチンのステップ３１０乃至３２０、ステップ３３５乃至３４５、ステップ３５５乃至３９０も上述の第一の実施例の場合と同様に実行されるが、上述の第一の実施例に於けるステップ３５０に対応するステップは省略される。
【０１１９】
図９に示されている如く、ステップ３１５に於いて肯定判別が行われると、ステップ３３０に於いて上述の第一の実施例の場合と同様にスロットル開度の低減制御による目標駆動力Ｆxt1及び点火時期の遅角制御による目標駆動力Ｆxt2が演算されるが、図１０に示されている如く、エンジン回転数Ｎeが低いほどスロットル開度の低減制御による目標駆動力Ｆxt1の低下勾配が小さくなるよう、指標値ＳＡaが第一の基準値ＳＡa1以上になった時点に於けるエンジン回転数Ｎeに応じてスロットル開度の低減制御による目標駆動力Ｆxt1の低下勾配が可変設定される。尚この可変設定はエンジン回転数Ｎeが低いほどスロットル開度の低減制御による車両の駆動力の低下勾配が小さくなることに対応するものである。
【０１２０】
かくして図示の第二の実施例によれば、上述の第一の実施例の場合と同様、指標値ＳＡaが大きく、エンジン１６の出力トルクの低減の必要度合が非常に高く、点火時期の遅角制御によるエンジン１６の出力トルクの低減が行われても左右後輪の回転振動状態の悪化を来たす虞れがない状況に於いてのみ、スロットル開度の低減制御によるエンジン１６の出力トルクの低減制御に加えて点火時期の遅角制御によるエンジン１６の出力トルクの低減制御を行うことができ、よって車両の駆動力の低減が必要であるがその必要度合が非常に高くはない状況に於いては点火時期が遅角されることを防止してエンジンの排気ガスの温度上昇及びこれに起因する排気ガス浄化触媒の劣化を防止することができ、また車両の駆動力の低減の必要度合が非常に高い状況に於いてはスロットル開度を低減すると共に点火時期を遅角させることによりエンジンの出力を確実に且つ効果的に低下させて車両の駆動力を確実に且つ効果的に低下させることができ、更には点火時期の遅角制御によるエンジン１６の出力トルクの低減によって左右後輪の回転振動状態が悪化されることを確実に防止することができる。
【０１２１】
またこの第二の実施例によれば、エンジン回転数Ｎeが低いほどスロットル開度の低減制御による目標駆動力Ｆxt1の低下勾配が小さくなるよう、指標値ＳＡaが第一の基準値ＳＡa1以上になった時点に於けるエンジン回転数Ｎeに応じてスロットル開度の低減制御による目標駆動力Ｆxt1の低下勾配が可変設定される。従ってエンジン回転数Ｎeが低いほど目標駆動力の偏差ΔＦxtが大きくなり、これによりステップ３５５に於いて肯定判別が行われ易くなるので、上述の第一の実施例の場合と同様、エンジン回転数Ｎeが低く、スロットル開度が低減されることによるエンジン出力の低下速度が低い状況に於いても、点火時期の遅角によりエンジン出力を効果的に低下させ、これにより車両の駆動力を効果的に低下させることができる。
［第三の実施例］
【０１２２】
図１１は本発明による車両の駆動力制御装置の第三の実施例に於いて制駆動力制御装置１４により達成される車両の目標駆動力及び点火時期の補正制御ルーチンを示すフローチャートである。尚図１１に於いて図３に示されたステップと同一のステップには図３に於いて付されたステップ番号と同一のステップ番号が付されている。
【０１２３】
この実施例に於いても、車両の目標駆動力演算ルーチン及びスロットル開度及び点火時期の制御ルーチンの各ステップは上述の第一の実施例の場合と同様に実行される。またこの実施例の車両の目標駆動力及び点火時期の補正制御ルーチンのステップ３１０乃至３４５及びステップ３７０乃至３９０も上述の第一の実施例の場合と同様に実行されるが、上述の第一の実施例に於けるステップ３５０及び３５５に代えてそれぞれステップ３６０及び３６５が実行される。
【０１２４】
ステップ３６０はステップ３４５に於いて肯定判別が行われたときに実行され、ステップ３６０に於いては指標値ＳＡaが第一の基準値ＳＡa1以上になる直前に演算された車両の目標駆動力Ｆxt（Ｆxta）と指標値ＳＡaが第一の基準値ＳＡa1以上になった直後に演算された車両の目標駆動力Ｆxt（Ｆxtb）との偏差ΔＦxtが演算されると共に、目標駆動力の偏差ΔＦxtに基づいて図１２に示されたマップよりエンジン回転数Ｎeに関する基準値Ｎe3が演算される。この場合基準値Ｎe3は、図１２に示されている如く、目標駆動力の偏差ΔＦxtが大きいほど大きくなるよう演算される。
【０１２５】
ステップ３６５に於いてはエンジン回転数Ｎeが基準値Ｎe3以下であるか否かの判別、即ち点火時期の遅角制御によるエンジン１６の出力トルクの低減制御が許容される状況であるか否かの判別が行われ、肯定判別が行われたときにはステップ３７０へ進み、否定判別が行われたときにはステップ３８０へ進む。
【０１２６】
かくして図示の第三の実施例によれば、上述の第一及び第二の実施例の場合と同様、指標値ＳＡaが大きく、エンジン１６の出力トルクの低減の必要度合が非常に高く、点火時期の遅角制御によるエンジン１６の出力トルクの低減が行われても左右後輪の回転振動状態の悪化を来たす虞れがない状況に於いてのみ、スロットル開度の低減制御によるエンジン１６の出力トルクの低減制御に加えて点火時期の遅角制御によるエンジン１６の出力トルクの低減制御を行うことができる。
【０１２７】
また図示の第三の実施例によれば、エンジン回転数Ｎeが低く、スロットル開度が低減されることによるエンジン出力の低下速度が低いほど、点火時期の遅角制御によるエンジン１６の出力トルクの低減が行われ易くすることができるので、上述の第一及び第二の実施例の場合と同様、スロットル開度が低減されることによるエンジン出力の低下速度が低い状況に於いても、点火時期の遅角によりエンジン出力を効果的に低下させ、これにより車両の駆動力を効果的に低下させることができる。
【０１２８】
また図示の第三の実施例によれば、指標値ＳＡaが第二の基準値ＳＡa2以上で、ステップ３１５及び３４５に於いて肯定判別が行われる状況に於いて、エンジン回転数Ｎeが基準値Ｎe3以下であれば点火時期の遅角が開始されるので、上述の第一及び第二の実施例の場合よりも早期に点火時期の遅角を開始させてエンジン出力の低下及びこれによる車両の駆動力の低下を早期に達成することができる。
【０１２９】
例えば図１３はエンジン回転数Ｎeが基準値Ｎe3以下の状況に於いて指標値ＳＡaが図８の場合と同様に変化した場合に於けるフラグＦth及びＦigの変化の例を示している。図１３に示されている如く、この第三の実施例の場合には、ステップ３６５の判別は時点ｔ2に於いて肯定判別になり、ステップ３７０又は３７５に於いて肯定判別が行われることにより点火時期の遅角が禁止されない限り、フラグＦigは時点ｔ2に於いて１になるので、時点ｔ3に於いてフラグＦigが１になる上述の第一及び第二の実施例の場合よりも早期に点火時期の遅角を開始させことができる。尚図１３に於いては点火時期の遅角の終了が図示されていないが、指標値ＳＡaが第二の基準値ＳＡa2未満になった場合又はエンジン回転数Ｎeが基準値Ｎe3よりも大きくなった場合にフラグＦigが０になり、点火時期の遅角が終了する。
【０１３０】
特に図示の第三の実施例によれば、エンジン回転数Ｎeに関する基準値Ｎe3は、図１２に示されている如く、目標駆動力の偏差ΔＦxtが大きいほど大きくなるよう演算されるので、目標駆動力の偏差ΔＦxtが大きく、車両の駆動力の必要低減量が大きいほど点火時期の遅角制御によるエンジン１６の出力トルクの低減が行われ易くすることができ、基準値Ｎe3が一定の値である場合に比して車両の駆動力の必要低減量に応じて点火時期の遅角制御の実行の要否を適切に判定することができる。
【０１３１】
尚、上述の各実施例によれば、ステップ３７０に於いて左右の後輪の車輪速度ＶwRL、ＶwRRに基づいて左右の後輪の少なくとも一方に回転振動が発生しているか否かの判別が行われ、ステップ３７５に於いて走行路が所謂またぎ路であるか否かの判別が行われることにより、左右後輪の回転振動状態が悪化する虞れがあるか否かの判別が行われるので、ステップ３７０又は３７５の一方の判別しか行われない場合に比して、点火時期の遅角制御によるエンジン１６の出力トルクの低減によって左右後輪の回転振動状態が悪化することを確実に且つ効果的に防止することができる。
【０１３２】
また上述の各実施例によれば、点火時期の遅角制御によるエンジン１６の出力トルクの低減制御は、車両の駆動力の低減制御開始時に限定されたり、その実行時間が車両の駆動力の低減制御開始後の一定の時間に限定されたりすることがないので、スロットル開度の制御及び点火時期の遅角制御によりエンジン１６の出力トルクの低減制御が行われた後に再度駆動輪の駆動スリップが過大になっても、スロットル開度の制御及び点火時期の遅角制御によりエンジン１６の出力トルクを確実に且つ効果的に低減し、駆動輪の駆動スリップを確実に且つ効果的に低減することができる。
【０１３３】
また上述の各実施例に於いては、指標値ＳＡaが第二の基準値ＳＡa2以上であるときにはスロットル開度の低減及び点火時期の遅角の両者によりエンジン出力が低下され、これにより車両の駆動力が効率的に低下されるので、指標値ＳＡaが速やかに低下し、従って点火時期の遅角が過剰に長く継続されることはない。
【０１３４】
また上述の各実施例によれば、ステップ３４０に於いて第二の基準値ＳＡa2は図６に示されている如く、車速Ｖbが高いほど小さく、車両の横加速度Ｇyの絶対値が大きいほど小さく、路面の摩擦係数μが低いほど小さくなるよう、車速Ｖb、車両の横加速度Ｇy、路面の摩擦係数μに応じて可変設定されるので、第二の基準値ＳＡa2が一定の値である場合に比して、車速Ｖb、車両の横加速度Ｇy、路面の摩擦係数μに応じて、換言すれば車両の駆動力が過大であることに起因する車両の走行運動の不安定化の虞れに応じて点火時期の遅角制御の要否を適切に判定することができる。
【０１３５】
また上述の各実施例によれば、ステップ３４０に於いて第二の基準値ＳＡa2は図６に示されている如く、エンジン回転数Ｎeが低いほど小さくなるようエンジン回転数Ｎeに応じて可変設定されるので、エンジン回転数Ｎeの高低に関係なく第二の基準値ＳＡa2が一定の値である場合に比して、エンジン回転数Ｎeが低くスロットル開度の低減によって速やかにエンジン出力を低下させることができない状況に於いても確実に速やかにエンジン出力を低下させることができ、逆にエンジン回転数Ｎeが比較的高くスロットル開度の低減によっても比較的速やかにエンジン出力を低下させることができる状況に於いて、点火時期が不必要に遅角されることを防止することができ、これにより排気ガスの温度上昇及びこれに起因する排気ガス浄化触媒の劣化の虞れを確実に低減することができる。
【０１３６】
また上述の各実施例によれば、ステップ３２５又は３３０に於いてスロットル開度の低減制御による目標駆動力Ｆxt1及び点火時期の遅角制御による目標駆動力Ｆxt2が演算され、スロットル開度が低減される場合にはステップ４４０に於いてスロットルバルブ３６の開度が目標駆動力Ｆxt1に対応する目標スロットル開度φtbになるよう制御されるので、スロットルバルブ３６の開度が過剰に早く低減されたり低減が遅くなり過ぎたりすることを確実に防止することができる。
【０１３７】
同様に、点火時期が遅角される場合にはステップ４５０に於いてスロットル開度の低減制御による目標駆動力Ｆxt1とスロットル開度の低減制御及び点火時期の遅角制御による目標駆動力Ｆxt2との偏差ΔＦxtに対応する遅角補正量にて遅角補正された点火時期になるよう点火時期が制御されるので、点火時期が過剰に早く遅角されたり遅角が遅くなり過ぎたりすることを確実に防止することができる。
【０１３８】
以上に於いては本発明を特定の実施例について詳細に説明したが、本発明は上述の実施例に限定されるものではなく、本発明の範囲内にて他の種々の実施例が可能であることは当業者にとって明らかであろう。
【０１３９】
例えば上述の各実施例に於いては、若しくはエンジンへの燃料供給量の低減により前記エンジンの出力を低減するエンジン出力低減手段はエンジンの点火時期の遅角によりエンジンの出力を低減するようになっているが、エンジン出力低減手段はエンジンへの燃料供給量の低減によりエンジンの出力を低減するものであってもよく、また点火時期の遅角及び燃料供給量の低減の両者によりエンジンの出力を低減するものであってもよい。
【０１４０】
特にエンジン出力低減手段がエンジンへの燃料供給量の低減によりエンジンの出力を低減するものである場合には、上述の各実施例に於ける目標駆動力Ｆxt2はスロットル開度の低減制御及び燃料供給量の低減制御による目標駆動力として演算され、燃料供給量の低減量は目標駆動力Ｆxt1と目標駆動力Ｆxt2との偏差ΔＦxtに応じて制御される。
【０１４１】
同様に、エンジン出力低減手段が点火時期の遅角及び燃料供給量の低減によりエンジンの出力を低減するものである場合には、上述の各実施例に於ける目標駆動力Ｆxt2はスロットル開度の低減制御、点火時期の遅角制御、燃料供給量の低減制御による目標駆動力として演算され、点火時期の遅角補正量及び燃料供給量の低減量は目標駆動力Ｆxt1と目標駆動力Ｆxt2との偏差ΔＦxtに応じて制御される。
【０１４２】
また上述の各実施例に於いては、ステップ３７０に於いて左右の後輪の車輪速度ＶwRL、ＶwRRに基づいて左右の後輪の少なくとも一方に回転振動が発生しているか否かの判別が行われ、ステップ３７５に於いて走行路が所謂またぎ路であるか否かの判別が行われるようになっているが、ステップ３７０又は３７５の何れかの判別が省略されてもよい。
【０１４３】
また上述の各実施例に於いては、ステップ３７０に於ける判別の基準値Ａwo及びステップ３７５に於ける判別の基準値Δμoは定数であるが、例えば路面の摩擦係数が低いほど点火時期の遅角によるエンジン出力の低減により駆動輪の回転振動が発生され易くなるので、基準値Ａwoは路面の摩擦係数が低いときには路面の摩擦係数が高いときに比して小さくなるよう、路面の摩擦係数に応じて可変設定されるよう修正されてもよく、基準値Δμoは路面の摩擦係数μA及びμBのうちの低い方の値が低いときには該低い方の値が高いときに比して小さくなるよう、路面の摩擦係数μA及びμBのうちの低い方の値に応じて可変設定されるよう修正されてもよい。
【０１４４】
また上述の各実施例に於いては、ステップ２１５、２３０、２４０の判別が行われ、車両の走行挙動が悪化している場合、指標値ＳＡaが第一の基準値ＳＡa1以上である場合、路面の摩擦係数μが基準値μo以下である場合に、左右後輪の駆動スリップが過大になる虞れを低減するために必要な車両の目標駆動力Ｆxtが演算されるようになっているが、ステップ２１５、２３０、２４０の何れかの判別が省略されてもよく、また車両の駆動力を低減する必要があるか否かの判別は他の車両の走行情報に基づいて判定されるよう修正されてもよい。
【０１４５】
また上述の各実施例に於いては、ステップ２３０の判別の基準値ＳＡa1はステップ３１５の判別の基準値ＳＡa1と同一であるが、これらの判別の基準値は互いに異なる値であってもよい。またステップ２３０及び３１５の判別の基準値ＳＡa1は定数であるが、ステップ２３０及び３１５の判別の基準値の少なくとも一方はエンジン回転数Ｎeが低いほど小さくなるようエンジン回転数Ｎeに応じて可変設定されるよう修正されてもよい。
【０１４６】
また上述の各実施例に於いては、エンジン制御装置１８により演算される基本目標駆動力Ｆxtとは別に駆動力制御装置１４により車両の目標駆動力Ｆxtが演算され、目標駆動力Ｆxtに基づいて自動変速機２４の目標変速段Ｓt及び目標スロットル開度φtが演算されるようになっているが、車両の駆動力を低減する必要がないときには、一般的な車両の場合と同様にアクセル開度Ａp等に基づいてスロットル開度φが制御され、スロットル開度φ及び車速に基づいて自動変速機２４の変速段が制御されるよう修正されてもよい。
【０１４７】
また上述の各実施例に於いては、指標値ＳＡaが第一の基準値ＳＡa1以上であるときには、スロットル開度の低減制御による目標駆動力Ｆxt1が演算され、目標駆動力Ｆxt1に基づいて目標スロットル開度φtbが演算され、目標スロットル開度φtbに基づいてスロットル開度φが制御されるようになっているが、スロットル開度φは例えば指標値ＳＡaに基づいて低減補正されるよう修正されてもよい。
【０１４８】
同様に、指標値ＳＡaが第二の基準値ＳＡa2以上であるときには、スロットル開度の低減制御及び点火時期の遅角制御による目標駆動力Ｆxt2も演算され、目標駆動力Ｆxt1と目標駆動力Ｆxt2との偏差ΔＦxtに基づいて点火時期の遅角補正量θtbが演算され、点火時期の遅角補正量θtbに基づいて点火時期が遅角されるようになっているが、点火時期も例えば指標値ＳＡaに基づいて遅角されるよう修正されてもよい。
【０１４９】
また上述の各実施例に於いては、ステップ３４５の判別に加えてステップ３５５又は３６５の判別が行われ、これらの判別結果が肯定判別である場合に点火時期が遅角されるようになっているが、ステップ３５５又は３６５の判別が省略され、ステップ３４５に於いて肯定判別が行われると点火時期が遅角されるよう修正されてもよい。
【０１５０】
また上述の各実施例に於いては、ステップ３４０に於いて車速Ｖb、車両の横加速度Ｇy、路面の摩擦係数μに基づいて図６に示されたマップより指標値ＳＡaに関する第二の基準値ＳＡa2が演算されるようになっているが、車速Ｖb、車両の横加速度Ｇy、路面の摩擦係数μの何れかのパラメータが省略されてもよく、また第二の基準値ＳＡa2が一定の値に設定されてもよい。
【０１５１】
また上述の第一の実施例に於いては、ステップ３５０に於いてエンジン回転数Ｎeが低いほど偏差判定基準値Ｆxt3が小さくなるよう、エンジン回転数Ｎeに応じて偏差判定基準値Ｆxt3が可変設定されるようになっているが、ステップ３５０が省略され、偏差判定基準値Ｆxt3が一定の値に設定されてもよい。
【０１５２】
同様に、上述の第三の実施例に於いては、ステップ３６０に於いて目標駆動力の偏差ΔＦxtが大きいほど基準値Ｎe3が大きくなるよう、目標駆動力の偏差ΔＦxtに応じて基準値Ｎe3が可変設定されるようになっているが、ステップ３６０が省略され、基準値Ｎe3が一定の値に設定されてもよい。
【０１５３】
更に上述の各実施例に於いては、車両は後輪駆動車であるが、本発明が適用される車両は前輪駆動車や四輪駆動車であってもよく、また自動変速機２４はトルクコンバータ２０を備えた多段式の自動変速機であるが、本発明が適用される車両の変速機は無段変速機であってもよい。
【図面の簡単な説明】
【０１５４】
【図１】後輪駆動車に適用された本発明による車両の駆動力制御装置の第一の実施例を示す概略構成図（Ａ）及び制御系のブロック線図（Ｂ）である。
【図２】第一の実施例に於いて制駆動力制御装置により達成される車両の目標駆動力演算ルーチンを示すフローチャートである。
【図３】第一の実施例に於いて制駆動力制御装置により達成される車両の目標駆動力及び点火時期の補正制御ルーチンを示すフローチャートである。
【図４】第一の実施例に於いてエンジン制御装置により達成されるスロットル開度及び点火時期の制御ルーチンを示すフローチャートである。
【図５】第一の実施例に於ける目標駆動力Ｆxt、スロットル開度の低減制御による目標駆動力Ｆxt1、スロットル開度の低減制御及び点火時期の遅角制御による目標駆動力Ｆxt2の低下変化の例を示すグラフである。
【図６】車速Ｖb、車両の横加速度Ｇyの絶対値、路面の摩擦係数μに基づく第二の基準値ＳＡa2演算用のマップを示す図である。
【図７】エンジン回転数Ｎeに基づく偏差判定基準値Ｆxt3演算用のマップを示す図である。
【図８】図３のステップ３１５、３４５、３５５に於ける判別、スロットル開度低減要求フラグＦth及び点火時期の遅角要求フラグＦigの変化の例を示すタイムチャートである。
【図９】第二の実施例に於いて制駆動力制御装置により達成される車両の目標駆動力及び点火時期の補正制御ルーチンを示すフローチャートである。
【図１０】第二の実施例に於ける目標駆動力Ｆxt、スロットル開度の低減制御による目標駆動力Ｆxt1、スロットル開度の低減制御及び点火時期の遅角制御による目標駆動力Ｆxt2の低下変化の例を示すグラフである。
【図１１】第三の実施例に於いて制駆動力制御装置により達成される車両の目標駆動力及び点火時期の補正制御ルーチンを示すフローチャートである。
【図１２】目標駆動力の偏差ΔＦxtに基づく基準値Ｎe3演算用のマップを示す図である。
【図１３】図１１のステップ３１５、３４５、３６５に於ける判別、スロットル開度低減要求フラグＦth及び点火時期の遅角要求フラグＦigの変化の例を示すタイムチャートである。
【符号の説明】
【０１５５】
１０…駆動力制御装置、１４…制駆動力制御装置、１８…エンジン制御装置、１６…エンジン、２４…自動変速機、３６…スロットルバルブ、４２…アクセルペダル、５２…エンジン回転数センサ、５４…制動装置、６４…横加速度センサ、６６A、６６B…摩擦係数センサ、６８i…車輪速度センサ、７０…変速制御装置、
【図１】
2008031946.tif 000003
【図２】
2008031946.tif 000004
【図３】
2008031946.tif 000005
【図４】
2008031946.tif 000006
【図５】
2008031946.tif 000007
【図６】
2008031946.tif 000008
【図７】
2008031946.tif 000009
【図８】
2008031946.tif 000010
【図９】
2008031946.tif 000011
【図１０】
2008031946.tif 000012
【図１１】
2008031946.tif 000013
【図１２】
2008031946.tif 000014
【図１３】
2008031946.tif 000015